(57)【特許請求の範囲】
【請求項１】
負荷によって消費されるべき電気エネルギーを発生させるために外力によって回転させられる発電機の極数を切り替える極数切替え装置であって、
前記負荷の電気抵抗値を検出する検出手段と、
その検出された電気抵抗値に基づき、その電気抵抗値が増加するにつれて前記極数が増加するようにその極数を切り替える切替え手段と
を含む極数切替え装置。
【請求項２】
前記切替え手段は、前記負荷の電気抵抗値の増加にかかわらず、前記発電機の発電量が安定化するように、前記極数を切り替える請求項１に記載の極数切替え装置。
【請求項３】
負荷によって消費されるべき電気エネルギーを発生させるために外力によって回転させられる発電機の極数を切り替える極数切替え方法であって、
前記負荷の電気抵抗値を検出する検出工程と、
その検出された電気抵抗値に基づき、その電気抵抗値が増加するにつれて前記極数が増加するようにその極数を切り替える切替え工程と
を含む極数切替え方法。
【請求項４】
請求項３に記載の極数切替え方法を実行するためにコンピュータによって実行されるプログラム。
【発明の詳細な説明】
【技術分野】
【０００１】
本発明は、電気エネルギーを発生させるために外力によって回転させられる発電機の極数を切り替える技術に関するものである。
【背景技術】
【０００２】
発電機を外力によって回転させることによってその発電機に電気エネルギーを発生させる技術がすでに普及している。発電機を回転させるために利用可能な外力の種類は多数存在し、例えば、自然エネルギーである風力、水力、潮力等や、路面との相対運動中にその路面との摩擦力によって可動体を運動させるためにその可動体に機械的に作用する力が利用されて発電機が回転させられる。
【０００３】
風力を利用して発電を行うシステムもすでに普及している。このシステムは、商用電力系統に連係する連係型と、連係しない独立型（「分散型」ともいう）とに分類される。また、風力を利用して発電を行うシステムは、その風車の大きさや発電量に着目して、大型、小型、マイクロ型等に分類される。
【０００４】
発電機を外力によって回転させることによってその発電機に電気エネルギーを発生させる技術の一従来例が特許文献１に開示されている。この従来例によれば、電気自動車の制動時、電動機が発電機として作動させられ、その結果発生した電力が蓄電池に回収される。
【０００５】
一般に、電気自動車において、車体の持つ運動エネルギーを電力として回生して使用する場合、発電機の回転速度が低い領域、すなわち、電気自動車の低速走行状態においては、発電機に発生する電圧が低下してしまい、その結果、蓄電池への充電が不可能になってしまう。
【０００６】
この問題を解決するために上述の従来例が提案されたのであり、この従来例によれば、発電機が極数切替え可能とされたうえで、その発電機の回生電圧が低いときには、発電機の極数が増加させられる。
【特許文献１】特開平７−１７０６１０号公報
【発明の開示】
【発明が解決しようとする課題】
【０００７】
本発明者らは、発電機を外力によって回転させることによってその発電機に電気エネルギーを発生させる技術に関し、種々の研究を行った。その結果、発電機によって発生させられた電気エネルギーで負荷を作動させることが必要である場合、発電機の発電量が、発電機の極数の切替え手法（手順）に依存するという事実に気がついた。
【０００８】
以上説明した知見に基づき、本発明は、負荷によって消費される電気エネルギーを発生させるために外力によって回転させられる発電機の極数を切り替える技術を、発電機の発電量が安定化するように改善することを課題としてなされたものである。
【課題を解決するための手段】
【０００９】
その課題を解決するために、本発明の第１の側面によれば、負荷によって消費されるべき電気エネルギーを発生させるために外力によって回転させられる発電機の極数を切り替える極数切替え装置であって、前記負荷の電気抵抗値を検出する検出手段と、その検出された電気抵抗値に基づき、その電気抵抗値が増加するにつれて前記極数が増加するようにその極数を切り替える切替え手段とを含むものが提供される。
【００１０】
本発明の第２の側面によれば、負荷によって消費されるべき電気エネルギーを発生させるために外力によって回転させられる発電機の極数を切り替える極数切替え方法であって、前記負荷の電気抵抗値を検出する検出工程と、その検出された電気抵抗値に基づき、その電気抵抗値が増加するにつれて前記極数が増加するようにその極数を切り替える切替え工程とを含むものが提供される。
【００１１】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００１２】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００１３】
（１）  蓄電装置に蓄積されるべき電気エネルギーを発生させるために外力によって回転させられる発電機の極数を切り替える極数切替え装置であって、
前記蓄電装置の蓄電状態量を検出する検出手段と、
その検出された蓄電状態量が少ない場合に多い場合より前記極数が減少するようにその極数を切り替える切替え手段と
を含む極数切替え装置。
【００１４】
本発明者らは、研究の結果、発電機によって発生させられた電気エネルギーで蓄電装置を充電することが必要である場合、その蓄電装置の蓄電状態量が少ないとき（例えば、充電電圧が０に近いとき）に発電機の電流を増加させることが、蓄電装置の充電時間を短縮するために望ましいことに気がついた。
【００１５】
さらに、本発明者らは、研究の結果、発電機の極数を切り替えることにより、発電機それ自体を、降圧回路（コンバータ）として使用することが可能であることにも気がついた。すなわち、発電機の極数切替えにより、その発電機の出力を、高電圧・小電流状態と、低電圧・大電流状態とに切り替えることができることにも気がついたのである。
【００１６】
以上説明した知見に基づき、本項に係る極数切替え装置においては、蓄電装置の蓄電状態量が少ない場合に多い場合より前記極数が減少するようにその極数が切り替えられる。それにより、発電機の電流が増加させられ、その結果、蓄電装置が大電流で充電される。
【００１７】
したがって、この極数切替え装置によれば、発電機それ自体を降圧回路（コンバータ）として機能させることにより、蓄電装置の急速充電が可能になる。
【００１８】
本項における「蓄電状態量」は、蓄電装置に蓄積されている電気エネルギーの量に関連する物理量を意味し、例えば、蓄電装置の電圧としたり、電流としたり、瞬間電力としたり、積算電力としたり、ＳＯＣ(state of charge)とすることが可能である。
【００１９】
（２）  前記蓄電装置は、その蓄電装置に蓄積されている電気エネルギーの量が増加するにつれて上昇する電圧を有し、
前記蓄電状態量は、前記蓄電装置の電圧値を含む（１）項に記載の極数切替え装置。
【００２０】
（３）  前記蓄電装置は、電気二重層キャパシタを含む（２）項に記載の極数切替え装置。
【００２１】
（４）  蓄電装置に蓄積されるべき電気エネルギーを発生させるために外力によって回転させられる発電機の極数を切り替える極数切替え方法であって、
前記蓄電装置の蓄電状態量を検出する検出工程と、
その検出された蓄電状態量が少ない場合に多い場合より前記極数が減少するようにその極数を切り替える切替え工程と
を含む極数切替え方法。
【００２２】
この極数切替え方法によれば、前記（１）項に係る極数切替え装置が採用する原理と基本的に同じ原理に従い、基本的に同じ作用効果が実現される。
【００２３】
（５）  負荷によって消費されるべき電気エネルギーを発生させるために外力によって回転させられる発電機の極数を切り替える極数切替え装置であって、
前記負荷の電気抵抗値を検出する検出手段と、
その検出された電気抵抗値に基づき、その電気抵抗値が増加するにつれて前記極数が増加するようにその極数を切り替える切替え手段と
を含む極数切替え装置。
【００２４】
本発明者らは、研究の結果、発電機によって発生させられた電気エネルギーが負荷（例えば、電気機器）によって消費される環境において、負荷の電気抵抗値が増加するにつれて発電機の極数が増加するようにその極数を切り替えると、負荷の電気抵抗値の増加にかかわらず、発電機の発電量（出力される電気エネルギー）が安定化するという事実、すなわち、幅広い負荷変動に対して発電機の発電量を維持することが可能であるという事実に気がついた。
【００２５】
以上説明した知見に基づき、本項に係る極数切替え装置においては、負荷の電気抵抗値が増加するにつれて発電機の極数が増加するようにその極数が切り替えられる。
【００２６】
したがって、この極数切替え装置によれば、負荷の電気抵抗値の増加にかかわらず、発電機の発電量が安定化する。
【００２７】
（６）  負荷によって消費されるべき電気エネルギーを発生させるために外力によって回転させられる発電機の極数を切り替える極数切替え方法であって、
前記負荷の電気抵抗値を検出する検出工程と、
その検出された電気抵抗値に基づき、その電気抵抗値が増加するにつれて前記極数が増加するようにその極数を切り替える切替え工程と
を含む極数切替え方法。
【００２８】
この極数切替え方法によれば、前記（５）項に係る極数切替え装置が採用する原理と基本的に同じ原理に従い、基本的に同じ作用効果が実現される。
【００２９】
（７）  （４）または（６）項に記載の方法を実行するためにコンピュータによって実行されるプログラム。
【００３０】
このプログラムがコンピュータにより実行されれば、前記（４）または（６）項に係る方法と基本的に同じ原理に従い、同様な作用効果が実現され得る。
【００３１】
本項に係るプログラムは、それの機能を果たすためにコンピュータにより実行される指令の組合せのみならず、各指令に従って処理されるファイルやデータをも含むように解釈することが可能である。
【００３２】
また、このプログラムは、それ単独でコンピュータにより実行されることにより、所期の目的を達するものとしたり、他のプログラムと共にコンピュータにより実行されることにより、所期の目的を達するものとすることができる。後者の場合、本項に係るプログラムは、データを主体とするものとすることができる。
【００３３】
（８）  （７）項に記載のプログラムをコンピュータ読取り可能に記録した記録媒体。
【００３４】
この記録媒体に記録されているプログラムがコンピュータにより実行されれば、前記（４）または（６）項に係る方法と同じ作用効果が実現され得る。
【００３５】
この記録媒体は種々な形式を採用可能であり、例えば、フレキシブル・ディスク等の磁気記録媒体、ＣＤ、ＣＤ−ＲＯＭ等の光記録媒体、ＭＯ等の光磁気記録媒体、ＲＯＭ等のアンリムーバブル・ストレージ等のいずれかを採用し得る。
【発明を実施するための最良の形態】
【００３６】
以下、本発明のさらに具体的な実施の形態のいくつかを図面に基づいて詳細に説明する。
【００３７】
図１には、本発明の一実施形態に従う独立型の風力発電システム（以下、単に「システム」という。）の全体構成がブロック図で概念的に表されている。このシステムは、本発明の第１側面に係る「極数切替え装置」の一実施形態を用いるとともに、本発明の第２側面に係る「極数切替え方法」の一実施形態を用いている。
【００３８】
図１に示すように、このシステムにおいては、風を受けて回転する風車１０の回転シャフト１２が発電機１４の回転シャフト（図示しない）に連結され、それにより、発電機１４が風車１０によって回転させられる。風車１０は、それの軸方向に作用する風力を、回転シャフトの回転力に変換する。発電機１４は、風車１０の回転シャフトに作用する回転力を外力として受けて回転させられる。
【００３９】
本実施形態においては、風車１０がサボニウス型とされているが、風車１０の形式はこれに限定されない。この風車１０は、例えば、直径が６００ｍｍ、長さが９００ｍｍであるように構成されている。
【００４０】
図２（ａ）は、発電機１４全体の外観を組立状態で示す写真、図２（ｂ）は、その発電機１４を構成するロータ２０およびステータ２２の外観を分解状態で示す写真である。図３（ａ）には、複数個の永久磁石１８を用いたロータ２０が正面図で示され、図３（ｂ）には、複数個のコイル２１を用いたステータ２２が正面図で示されている。
【００４１】
発電機１４は、同期型であるが、これに限定されることなく、例えば、誘導型でもよい。また、発電機１４におけるコイル巻線は、単相であるが、これに限定されることなく、例えば、多相（例えば、３相）でもよい。また、発電機１４の最大極数は、１６であるが、これに限定されることなく、例えば、３２としたり、６４としてもよい。
【００４２】
また、発電機１４は、アキシャル型の構造を採用するが、これに限定されることなく、例えば、ラジアル型の構造を採用してもよい。
【００４３】
アキシャル型の発電機１４は、具体的には、コイル２１を上下から（軸方向の両側から）永久磁石１８（例えば、ネオジウム磁石）によって挟み込む構造を採用している。コイル２１は、空芯コイルであるが、これに限定されることなく、例えば、集中巻きコイルとしてもよい。
【００４４】
具体的には、図３（ａ）に示すように、ロータ２０においては、１６個の永久磁石１８が、ロータ軸線の方向に対して垂直な面内において、ロータ軸線まわりに等間隔に配置されている。各永久磁石１８の背後にバックヨーク２６が設置され、それにより、互いに隣接する２個の永久磁石１８間に磁路が形成される。その結果、コイル２１と永久磁石１８との間における上下ギャップ間に形成される磁界が強化される。
【００４５】
これに対し、図３（ｂ）に示すように、ステータ２２においては、１６個のコイル２１が、ステータ軸線（ロータ軸線と同軸）の方向に対して垂直な面内において、ステータ軸線まわりに等間隔に配置されている。
【００４６】
この発電機１４によれば、永久磁石１８の高性能化のおかげで、コアを用いることなく、アキシャル型を採用することができ、それにより、発電機１４の構造が単純化される。さらに、この発電機１４によれば、コアを用いないため、発電に伴って発電機１４に発生してしまう電気的損失が銅損のみとなり、また、コギングトルクが発生せずに済む。
【００４７】
以上要するに、発電機１４においては、永久磁石１８が１６極を有し、コイル２１も１６極を有する。また、１６個のコイル２１の接続端子は、２個ずつのコイル２１を一組としてそれぞれ互いに独立させられている。その結果、後述の極数切替えコントローラによるコイル間接続状態の切替えにより、互いに導通させられるコイル２１の組合せの数、ひいては発電機１４の極数が変更可能となっている。
【００４８】
発電機１４に使用された各コイル２１は、直径が０．８ｍｍであるエナメル線を１１５回巻きした精密コイルであり、コイル１個あたりの巻線抵抗は約１Ωである。永久磁石１８は、ネオジウム磁石（ＮＥＯＭＡＸ−４０に相当）を使用している。ネオジウム磁石においては、バックヨーク２６上にＮ極およびＳ極が交互に均等に配置されている。
【００４９】
図１に示すように、発電機１４における複数個のコイル２１に極数切替えコントローラ４０が電気的に接続されている。この極数切替えコントローラ４０は、上述のように、複数個のコイル２１間の接続状態を切り替えることにより、互いに接続されるコイル２１の組合せ、すなわち、発電機１４の極数を変更するように設計されている。
【００５０】
その結果、１台の発電機１４が複数の入出力特性（発電特性）を有することになり、この極数切替えコントローラ４０は、発電中、それら特性のすべてを選択的に有効に利用することを目的として設計されている。この極数切替えコントローラ４０は、発電中、コイル２１間の接続状態を瞬時に簡単に切り替えることができるように設計されている。
【００５１】
図４は、極数切替えコントローラ４０の外観を示す写真である。その極数切替えコントローラ４０は、主回路５０（図５参照）と、コイル間接続状態の切替えのためのスイッチ部としてのリレー回路５２（図６参照）とを有するように設計されている。
【００５２】
図５には、主回路５０の構成が電気回路図で示され、図６には、リレー回路５２の構成が電気回路図で示されている。
【００５３】
図５に示すように、主回路５０は、コンピュータを用いる周辺機器接続制御用ＩＣ（ＰＩＣ：Peripheral Interface Controller)６０を主体として構成されている。
【００５４】
周辺機器接続制御用ＩＣ（以下、「ＰＩＣ」と略称する。）６０は、ＣＰＵと同じような演算処理機能を有して、周辺機器としてのリレー回路５２を制御するＩＣである。このＰＩＣ６０は、プログラミング可能なＩＣである。
【００５５】
図６に示すように、リレー回路５２は、個別に動作可能な８個のリレー６２を用いている。各リレー６２は、それに常時接続されたコイル直列回路を、隣のコイル直列回路から絶縁させる状態と、隣のコイル直列回路に導通させる状態とに切り換わる。
【００５６】
図５に示すように、主回路５０は、さらに、８個のリレー６２のコイル６４のオン／オフ状態を制御する８個のトランジスタ６６をスイッチング素子として備えている。それらトランジスタ６６のオン／オフ状態がＰＩＣ６０によって制御されることにより、最終的に、発電機１４の有効極数が切り替えられる。
【００５７】
図５に示すように、主回路５０は、さらに、オペレータによって操作される７個のスイッチＳＷ１ないしＳＷ７を備えている。
【００５８】
スイッチＳＷ６がオンに操作されると、ＰＩＣ６０は自動運転モードに移行し、一方、スイッチＳＷ７がオンに操作されると、ＰＩＣ６０は手動運転モードに移行する。
【００５９】
ＰＩＣ６０は、自動運転モードにおいては、後に詳述するが、所定の入力信号に応じてリレー回路５２を制御し、それにより、発電機１４の極数を自動的に切り替える処理を行うように予めプログラミングされている。これに対し、ＰＩＣ６０は、手動運転モードにおいては、スイッチＳＷ１ないしＳＷ４のうちオペレータによってオンに操作されたものに応じてリレー回路５２を制御し、それにより、発電機１４の極数を手動的に切り替える処理を行うことが可能になっている。
【００６０】
この極数切替えコントローラ４０は、各リレー６２のコイル６４のオン／オフ状態を個別に制御することにより、発電機１４のコイル間接続について、図７に示すように、４種類の接続パターンを用いた直並列接続切替えを行っている。
【００６１】
具体的には、発電機１４のコイル間接続は、
（１）１６個のコイル２１の直列回路である接続パターン（以下、「１６極直列」と称する。このパターンは、手動運転モードにおいては、スイッチＳＷ４がオンに操作されたときに実現される）と、
（２）８個のコイル２１の直列回路が２個、互いに並列に接続された接続パターン（以下、「８極２並列」と称する。このパターンは、手動運転モードにおいては、スイッチＳＷ３がオンに操作されたときに実現される）と、
（３）４個のコイル２１の直列回路が４個、互いに並列に接続された接続パターン（以下、「４極４並列」と称する。このパターンは、手動運転モードにおいては、スイッチＳＷ２がオンに操作されたときに実現される）と、
（４）２個のコイル２１の直列回路が８個、互いに並列に接続された接続パターン（以下、「２極８並列」と称する。このパターンは、手動運転モードにおいては、スイッチＳＷ１がオンに操作されたときに実現される）とのいずれかに切り替えられる。
【００６２】
図１に示すように、発電機１４における１６個のコイル２１の両端子は、極数切替えコントローラ４０を介して、整流器７０の両端子にそれぞれ電気的に接続されている。それにより、発電機１４のコイル２１に発生させられた電気エネルギーが整流器７０に供給されて整流される。
【００６３】
その整流器７０の両端子は、蓄電装置８０の両端子にそれぞれ電気的に接続されている。それにより、発電機１４のコイル２１に発生させられた電気エネルギーが、整流器７０によって整流された後に、蓄電装置８０に蓄積される。
【００６４】
蓄電装置８０は、例えば、電気二重層キャパシタ（以下、単に「キャパシタ」という。）である。このキャパシタは、例えば、定格電圧が５４Ｖ、充放電量が３０Ｗｈ、静電容量が６４Ｆであるように選定される。このキャパシタは、それに蓄積される電気エネルギーが増加するにつれて電圧が０から上昇するという特性を有する。これに対し、鉛蓄電池は、それの電圧特性が近似的に一定であるという特性を有する。
【００６５】
蓄電装置８０は、それ自体、発電機１４にとっての負荷であると考えられるが、その蓄電装置８０に電気機器等、電気エネルギーを他のエネルギーに変換して消費する消費装置が電気的に接続される場合には、その消費装置が、発電機１４にとっての主要な負荷であると考えられる。
【００６６】
図１に示すように、発電機１４の出力電流すなわち蓄電装置８０への流入電流が電流計８２によって計測され、また、蓄電装置８０の全電圧が電圧計８４によって計測される。電流計８２は、負荷に流れる電流を計測する器具の一例であり、また、電圧計８４は、負荷に印加される電圧を計測する器具の一例であると考えられる。
【００６７】
本実施形態においては、極数切替えコントローラ４０と電流計８２と電圧計８４とが互いに共同して極数切替え装置９０を構成している。
【００６８】
本発明者らは、上述のシステムを用いて種々の数値解析および実験を行った。
【００６９】
＜数値解析＞
【００７０】
発電機１４の出力特性が発電機１４の有効極数によって変化する様子を確認することを究極の目的として、発電機１４の発電特性を、異なる極数間で比較するために、次式を用いて検討した。
【００７１】
なお、発電機１４は、１６極アキシャル型であって、コアレスであることから、発電に伴う発電機１４の電気的損失は銅損のみであると仮定する。
【００７２】
発電機１４が蓄電装置８０を介して図示しない負荷に接続されている環境における発電機１４の回転数、開放電圧および出力電流の関係式を、図８において式（１）ないし（４）で示す。
【００７３】
次に、発電機１４のコイル間接続パターンが前述の１６極直列、８極２並列、４極４並列および２極８並列のうちのいずれであるかを考慮すると、上式（１）ないし（４）は、図８に示す式（５）ないし（１６）のように表される。
【００７４】
ただし、コイル１個あたりの起電力をＶｃとすると、発電機１４全体としての起電力は、１６極直列の場合は１６Ｖｃ、８極２並列の場合は８Ｖｃ、４極４並列の場合は４Ｖｃ、２極８並列の場合は２Ｖｃとなる。
【００７５】
以上により、各極数ごとに発電機１４の開放電圧を算出することができる。ここで、発電機１４の１回転あたりの起電力Ｖｃは、図８における式（１７）により算出される。
【００７６】
この式（１７）における「磁束密度Ｂ」については、永久磁石１８の厚みとギャップ長よりパーミアンス係数を求め、さらに、使用したネオジウムの減磁特性曲線を用いて算出される。
【００７７】
発電機１４の仕様に関する具体的な数値を式（１）ないし（１７）中の各項に代入し、さらに、発電機１４の回転数をパラメータとして、各値の算出および比較を行った。使用した値については、発電機１４のコイル１個あたりの抵抗値は１Ω、コイル１個あたりの起電力定数は０．０１８Ｖ／ｒｐｍ、蓄電装置８０の電圧は１２．５Ｖである。その数値解析結果が、図９ないし図１２にグラフで表されている。
【００７８】
具体的には、図９には、回転数(rotational speed)−開放電圧(no-load voltage)特性が表され、図１０には、回転数(rotational speed)−出力電流(current)特性が表されている。いずれの図にも、１６極、８極、４極および２極のもとでの各特性が表されている。
【００７９】
図９に示すように、発電機１４の開放電圧は、いずれの極数についても、発電機１４の回転数に比例した特性を示す。一方、一般に、発電機１４のコイル２１の直列数に応じて高い開放電圧が得られる。このことから、コイル２１の直列数、すなわち、極数が多い方が、低い回転数で蓄電装置８０の電圧（１２．５Ｖと仮定した。)に到達するため、特に蓄電装置８０が鉛蓄電池である場合のように、充電開始のためのしきい電圧が一定である場合には、充電開始のための回転数が低くても支障がない可能性があることが分かる。
【００８０】
一方、図１０に示す発電機１４の出力電流については、極数が大きい１６極や８極などのほうが、低い回転数で発電機１４が出力を開始していることがわかる。しかし、発電機１４の回転数が高くなるにつれて、極数の小さい方が、発電機１４の出力電流が増加していることが分かる。これは、発電機１４の出力電流はコイル２１の抵抗値に反比例するため、高速回転になるとコイル２１の合成抵抗値が小さい特性を有している極数が有効であることを示している。
【００８１】
したがって、発電機１４の回転数に応じて極数を適切に切り替えるようにして発電機１４を使用すれば、その発電機１４の出力特性が、コイル２１の接続状態を固定した場合よりも有利となる可能性があることが分かる。
【００８２】
また、極数を切り替えることにより発電機１４の特性を低回転向きと高回転向きとに変えることができる。このため、発電機１４は、１台の発電機にして、回転数が比較的低い垂直軸型風車と、回転数が比較的高い水平軸型のプロペラ風車とのいずれにも導入できるマイクロ発電機である可能性がある。
【００８３】
本実施形態においては、前述のように、コアレス型の発電機１４を使用するため、発電に伴う発電機１４の電気的損失は銅損(cupper loss)のみであると仮定すると、発電機１４の電気的損失は、図４にグラフで表されるようになる。銅損はＲ×Ｉ２で表されるため、発電量が同じ場合を想定すると、発電機１４の内部抵抗値が小さいほうが電気的損失は小さくなることが期待できる。また、高い回転数においては、極数を減らして並列接続を増やすことで発電機１４の内部抵抗値を小さくできるため、発電機１４の電気的損失も少なく抑えることができる。
【００８４】
図１２は、図１１の電気的損失を発電機１４の効率として表したグラフである。発電機１４の電気的損失が銅損のみであるため、銅損が発生しない回転数以下の領域では、発電機１４の発電効率は近似的に１００％であるとして扱った。発電機１４の電流の増大に伴い電流値の２乗に比例して銅損が大きくなるため、発電機１４の効率が低下している。したがって、極数が多いほどコイル２１の合成抵抗値が大きくなり、発電機１４の効率が小さくなることが分かる。
【００８５】
＜理論値についての検討結果＞
【００８６】
以上説明した結果より、極数が大きい場合には、低速回転で発電を開始するが出力電流が小さいことが分かった。一方、極数が小さい場合には、高速回転において大きな出力電流を得ることができることが分かった。また、発電機１４の電流の大きさは、一定の回転数を境として極数が小さい方が有利であることが分かった。
【００８７】
したがって、発電機１４の極数を切り替えることにより、これら両方の特性を有することができるため、発電機１４の極数を切り替えることは、発電時において有効であると考えられる。
【００８８】
＜理論値の実験的検証＞
【００８９】
開放電圧の測定
【００９０】
実際の発電機１４を運転させることにより、発電機１４の回転数に対する開放電圧の測定を行った。図１３には、その測定結果がグラフで表されている。同図に示す特性は、図９に示す理論値とほぼ同様の値であった。
【００９１】
サボニウス型風車を用いた発電機出力特性の測定
【００９２】
外部から入力されるパワーを考慮に入れた極数切替え型発電機１４の特性を調べる必要があることから、サボニウス型風車１０を用いて発電機１４の出力特性を測定した。また、発電機１４によって発生させられた電気エネルギーを消費する負荷として電子負荷装置を使用した。本実施形態においては、極数切替え型発電機１４の基本的な特性を知るために、電子負荷装置として単純な抵抗を使用した。負荷抵抗の電圧および電流はそれぞれ電圧計８４および電流計８２を用いて測定した。
【００９３】
風速が１２ｍ／ｓ、１６ｍ／ｓおよび２０ｍ／ｓで一定である３つの条件のそれぞれのもとで、負荷抵抗の電気抵抗値を変化させた場合に発電機１４が示した出力電圧、出力電流および回転数の値を測定した。
【００９４】
具体的には、まず、風速が１６ｍ／ｓで一定である条件のもとで、負荷抵抗の電気抵抗値を徐々に変化させた場合の１６極、８極、４極および２極のそれぞれについての発電機１４の抵抗値(resistance)−出力(power)特性を測定した。
【００９５】
図１４には、各極数ごとに、その測定された抵抗値−出力特性がグラフで表されている。このグラフから、発電機１４の出力が、一般的に知られているように、電気抵抗値の影響を大きく受けることが分かる。さらに、それぞれの極数のもとで発電機１４から取り出すことができる出力の大きさが、負荷抵抗の電気抵抗値に依存し、その電気抵抗値が最適値であるときに、発電機１４の出力が最大化することが分かる。
【００９６】
したがって、発電機１４の極数を１６極、８極、４極および２極のいずれかに切り替えることにより、それぞれの極数のもとでの複数の最適抵抗値を１台の発電機１４で実現することができる。さらに、各極数のもとでの最適抵抗値が、他の極数が不得意とする発電領域（抵抗値領域）に存在するため、極数を切り替えることにより、各極数が不得意とする領域を他の極数によってカバーすることができる。
【００９７】
よって、幅広い電気抵抗値に対して発電量を維持することができる。このことは、発電機１４に対する負荷のミスマッチの解消に好適に対応することを可能にすることであると考えられる。
【００９８】
発電機１４から出力を効率よく得るには、発電機１４と負荷とのマッチングが重要である。通常、発電機１４と負荷とのマッチングにおいては、負荷追従制御（ＭＰＰＴ制御）やパワーコンディショナーなどで行われるが、極数切替えを行った場合でも同様な効果を得ることができる。
【００９９】
他の風速のもとでも、発電機１４の出力特性が、その出力自体の大きさを除き、ほぼ同様であった。
【０１００】
図１５には、極数が１６極である場合を例にとり、風速の違いによる発電機１４の抵抗値−出力特性の違いがグラフで表されている。このグラフから、風速によっても、負荷抵抗の最適抵抗値が変化することが分かる。このことは、得られるエネルギーの大きさの変化によっても、発電機１４の抵抗値−出力特性が変化することを示している。
【０１０１】
図１６には、各極数ごとに、風速が１６ｍ／ｓである場合における抵抗値−回転数特性がグラフで表されている。このグラフから、電気抵抗値の変域全体において、極数が小さい方が高い回転数を得ていることが分かる。外部から入力される風のエネルギーは一定であるため、極数を減らすことで発電機１４の回転トルクを小さくすることができることが分かる。
【０１０２】
発電機１４は、それに接続される電気抵抗値が小さいほど、短絡の状態に近くなることから、最適抵抗値より著しく小さい電気抵抗値を有する負荷抵抗を発電機１４に接続した場合には、大きな回転トルクが必要となるため、発電が困難になる。図１４のグラフにおいて、極数を減らした場合、小さい電気抵抗値でも発電量を維持できるのは、極数を減らした場合の方が発電機１４の回転トルクを小さくすることができ、より高い回転数が得られるからである。
【０１０３】
図１７には、各極数ごとに、発電機１４の電圧−電流特性がグラフで表されている。このグラフから、極数が多いほど、発電機１４の電圧が高くなり、また、極数が少ないほど、発電機１４の電流が多くなることが分かる。
【０１０４】
このように、発電機１４の極数を減らすことにより、発電機１４の電圧を低下させる一方で電流を増加させることができ、よって、発電機１４自体を降圧回路（コンバータ）として機能させることが可能であることが分かる。よって、極数切替えを好適に実施すると、蓄電装置８０の充電時間を短縮化して充電効率を向上させることに有効に寄与することが分かる。
【０１０５】
＜実験結果に対する考察＞
【０１０６】
以上説明した実験を通じ、次のような知見を得た。すなわち、異なる極数間での抵抗値−出力特性の比較により、極数を変換することにより幅広い負荷変動に対して発電量を維持することができることが分かった。このことは、極数切替えによっても、負荷追従制御と似たような効果が得られると考えられる。さらに、これにより、発電機１４と負荷とのミスマッチを改善することができると考えられる。
【０１０７】
また、異なる極数間での電圧−電流特性の比較により、極数を増やした場合には電圧を高く、極数を減らした場合には電流を多く出力させることができることが確認できた。このことは、前述のキャパシタの如き蓄電装置８０の充電初期であって、電圧はそれほど必要ではないが、電流はある程度流しても大丈夫であり、その方が充電速度が上昇する場合に、極数を減らすことにより、蓄電装置８０の急速充電が可能となる。
【０１０８】
さらに、異なる極数間での抵抗値−回転数特性の比較により、極数を減らすことで発電機１４の回転トルクを小さくできることが確認できた。
【０１０９】
以上説明したいくつかの知見により、発電機１４の極数を最適なタイミングで最適に変換する制御を行うことにより、効率よく発電させることができると考えられる。
【０１１０】
＜極数切替えプログラム＞
【０１１１】
以上説明した知見に基づき、極数切替えコントローラ４０は、蓄電装置８０の電圧を電圧計８４を用いて計測し、その計測結果に基づき、発電機１４の極数を、計測された電圧が低いほど極数が減少するように切り替えるように設計されている。すなわち、極数切替えコントローラ４０は、充電電圧応答型極数切替え制御を実行するように設計されているのである。これにより、発電機１４が降圧回路として機能し、それにより、蓄電装置８０の急速充電が可能となる。その蓄電装置８０は、前述のキャパシタ（定格電圧が５４Ｖ、充放電量が３０Ｗｈ、静電容量が６４Ｆ）である。
【０１１２】
具体的には、ＰＩＣ６０に、蓄電装置８０の端子電圧を計測する電圧計８４からの信号が入力される。さらに、ＰＩＣ６０は、その入力信号によって表される電圧に応じて極数を自動的に切り替えるように予めプログラミングされている。具体的には、電圧が１６Ｖ以下であると２極、１６Ｖを超えると４極、３５Ｖを超えると８極、というように推移するように極数を自動的に切り替えるように予めプログラミングされている。電圧と極数との関係は、電圧を極数に変換するための変換テーブルとして、ＰＩＣ６０のメモリ（図示しない）に予め格納されている。
【０１１３】
図１８には、ＰＩＣ６０に実装された極数切替えプログラムが概念的にフローチャートで表されている。この極数切替えプログラムは、極数切替えコントローラ４０の主電源（図示しない）がオンにされると、起動される。
【０１１４】
この極数切替えプログラムが起動すると、まず、ステップＳ１において、電圧計８４から信号が取り込まれ、その信号に基づき、蓄電装置８０の電圧Ｖｓが計測される。次に、ステップＳ２において、電圧Ｖｓが１６Ｖ（最も低い第１しきい値Ｖｔｈ１）より低いか否かが判定される。
【０１１５】
今回は、電圧Ｖｓが１６Ｖより低いと仮定すると、ステップＳ２の判定がＹＥＳとなり、ステップＳ３において、今回の目標極数が２極として決定される。その後、ステップＳ４において、今回の目標極数が実現されるようにリレー回路５２が制御される。続いて、ステップＳ１に戻る。
【０１１６】
これに対し、今回は、電圧Ｖｓが１６Ｖ以上であると仮定すると、ステップＳ２の判定がＮＯとなり、ステップＳ５において、電圧Ｖｓが３５Ｖ（次に低い第２しきい値Ｖｔｈ２）より低いか否かが判定される。今回は、電圧Ｖｓが３５Ｖより低いと仮定すると、ステップＳ５の判定がＹＥＳとなり、ステップＳ６において、今回の目標極数が４極として決定される。その後、ステップＳ４において、今回の目標極数が実現されるようにリレー回路５２が制御される。続いて、ステップＳ１に戻る。
【０１１７】
これに対し、今回は、電圧Ｖｓが３５Ｖ以上であると仮定すると、ステップＳ２の判定もステップＳ５の判定もＮＯとなり、ステップＳ７において、今回の目標極数が８極として決定される。その後、ステップＳ４において、今回の目標極数が実現されるようにリレー回路５２が制御される。続いて、ステップＳ１に戻る。
【０１１８】
＜極数切替え型発電機の実用性検証＞
【０１１９】
極数切替え型発電機１４の実用性を検証するために、発電機１４を、変動する風速条件のもとで、独立系統として使用する実験を実施した。実験は、図１に示すシステムにおいて蓄電装置８０として前述のキャパシタ（定格電圧が５４Ｖ、充放電量が３０Ｗｈ、静電容量が６４Ｆ）を用いて実施した。
【０１２０】
図１９には、実験のために再現された風速変動がグラフで経時的に表されている。同図に示すように、風速は、９ｍ／ｓから１６ｍ／ｓまでの範囲内で規則的に変動させられた。
【０１２１】
図２０には、図１９に示す変動風速のもとでの蓄電装置８０の充電特性がグラフで表されている。図２０には、蓄電装置８０すなわち前述のキャパシタの電圧の時間的推移が、本実施形態に従う極数切替え技術(pole change)を実施したときと、８極２並列(8-pole)だけで発電機１４を動作させたときとの双方につき、相互比較を容易にするために表されている。
【０１２２】
今回の実験は、蓄電装置８０が実験開始時において全く充電されていない状態で実施した。図２０のグラフから明らかなように、極数切替え型発電機１４については、前述の充電電圧応答型極数切替え制御の実行時には、８極２並列だけでの発電時に比べると、充電電圧の上昇が素早く、上昇勾配が大きいことが分かる。これは、蓄電装置８０の充電が、極数を切り替えることなく行われる場合より高い効率で行われているからである。よって、極数切替え型発電機１４は、複数の発電特性を持っているため、発電中に極数が切り替えられないために１つの発電特性しか有しない発電機より優れた発電特性を有していることが分かる。
【０１２３】
負荷抵抗値応答型極数切替え制御
【０１２４】
極数切替えコントローラ４０は、蓄電装置８０に代えて負荷が接続される場合に、上述の充電電圧応答型極数切替え制御に代えて、負荷抵抗値応答型極数切替え制御を実行するように設計されている。
【０１２５】
その負荷電圧応答型極数切替え制御においては、負荷の電気抵抗値が電流計８２および電圧計８４を用いて計測され、その計測結果に基づき、発電機１４の極数が、計測された電気抵抗値が高いほど極数が増加するように切り替えられる。
【０１２６】
具体的には、ＰＩＣ６０に、電流計８２および電圧計８４からの信号が入力される。さらに、ＰＩＣ６０は、その入力信号によって定義される電気抵抗値Ｒに応じて極数を自動的に切り替えるように予めプログラミングされている。具体的には、電気抵抗値Ｒが第１しきい値Ｒｔｈ１より小さいと２極、第１しきい値Ｒｔｈ１より大きい第２しきい値Ｒｔｈ２より小さいと４極、第２しきい値Ｒｔｈ２より大きい第３しきい値Ｒｔｈ３より小さいとと８極、第３しきい値Ｒｔｈ３以上であると１６極、というように推移するように極数を自動的に切り替えるように予めプログラミングされている。電気抵抗値Ｒと極数との関係は、電気抵抗値Ｒを極数に変換するための変換テーブルとして、ＰＩＣ６０のメモリ（図示しない）に予め格納されている。
【０１２７】
図２１には、ＰＩＣ６０に実装された極数切替えプログラムが概念的にフローチャートで表されている。この極数切替えプログラムは、極数切替えコントローラ４０の主電源（図示しない）がオンにされると、起動される。
【０１２８】
この極数切替えプログラムが起動すると、まず、ステップＳ１０１において、電圧計８４から信号が取り込まれ、その信号に基づき、負荷の電圧Ｖが計測される。次に、ステップＳ１０２において、電流計８２から信号が取り込まれ、その信号に基づき、負荷の電流Ｉが計測される。続いて、ステップＳ１０３において、電圧Ｖの計測値を電流Ｉの計測値で割り算することにより、負荷の電気抵抗値Ｒが計算される。
【０１２９】
その後、ステップＳ１０４において、電気抵抗値Ｒが第１しきい値Ｒｔｈ１より小さいか否かが判定される。
【０１３０】
今回は、電気抵抗値Ｒが第１しきい値Ｒｔｈ１より小さいと仮定すると、ステップＳ１０４の判定がＹＥＳとなり、ステップＳ１０５において、今回の目標極数が２極として決定される。その後、ステップＳ１０６において、今回の目標極数が実現されるようにリレー回路５２が制御される。続いて、ステップＳ１０１に戻る。
【０１３１】
これに対し、今回は、電気抵抗値Ｒが第１しきい値Ｒｔｈ１以上であると仮定すると、ステップＳ１０４の判定がＮＯとなり、ステップＳ１０７において、電気抵抗値Ｒが第２しきい値Ｖｔｈ２より小さいか否かが判定される。今回は、電気抵抗値Ｒが第２しきい値Ｖｔｈ２より小さいと仮定すると、ステップＳ１０７の判定がＹＥＳとなり、ステップＳ１０８において、今回の目標極数が４極として決定される。その後、ステップＳ１０６において、今回の目標極数が実現されるようにリレー回路５２が制御される。続いて、ステップＳ１０１に戻る。
【０１３２】
これに対し、今回は、電気抵抗値Ｒが第２しきい値Ｖｔｈ２以上であると仮定すると、ステップＳ１０４の判定もステップＳ１０７の判定もＮＯとなり、ステップＳ１０９において、電気抵抗値Ｒが第３しきい値Ｖｔｈ３より小さいか否かが判定される。今回は、電気抵抗値Ｒが第３しきい値Ｖｔｈ３より小さいと仮定すると、ステップＳ１０９の判定がＹＥＳとなり、ステップＳ１１０において、今回の目標極数が８極として決定される。その後、ステップＳ１０６において、今回の目標極数が実現されるようにリレー回路５２が制御される。続いて、ステップＳ１０１に戻る。
【０１３３】
これに対し、今回は、電気抵抗値Ｒが第３しきい値Ｖｔｈ２以上であると仮定すると、ステップＳ１０４の判定もステップＳ１０７の判定もステップＳ１０９の判定もＮＯとなり、ステップＳ１１１において、今回の目標極数が１６極として決定される。その後、ステップＳ１０６において、今回の目標極数が実現されるようにリレー回路５２が制御される。続いて、ステップＳ１０１に戻る。
【０１３４】
以上の説明から明らかなように、本実施形態においては、電圧計８４と、極数切替えコントローラ４０のうち図１８におけるステップＳ１を実行する部分とが互いに共同して前記（１）項における「検出手段」の一例を構成し、極数切替えコントローラ４０のうち、図１８におけるステップＳ２ないしＳ７を実行する部分が同項における「切替え手段」の一例を構成していると考えることが可能である。
【０１３５】
さらに、本実施形態においては、電圧計８４と、電流計８２と、極数切替えコントローラ４０のうち図２１におけるステップＳ１０１ないしＳ１０３を実行する部分とが互いに共同して前記（５）項における「検出手段」の一例を構成し、極数切替えコントローラ４０のうち図２１におけるステップＳ１０４ないしＳ１１１を実行する部分が同項における「切替え手段」の一例を構成していると考えることが可能である。
【０１３６】
以上、本発明の実施の形態のいくつかを図面に基づいて詳細に説明したが、これらは例示であり、前記［発明の開示］の欄に記載の態様を始めとして、当業者の知識に基づいて種々の変形、改良を施した他の形態で本発明を実施することが可能である。
【図面の簡単な説明】
【０１３７】
【図１】本発明の一実施形態に従う極数切替え装置を有する風力発電システムを概念的に表すブロック図である。
【図２】図２（ａ）は、図１に示す発電機全体の外観を組立状態で示す写真であり、図２（ｂ）は、その発電機を構成するロータおよびステータを分解状態で示す写真である。
【図３】図３（ａ）は、図２（ｂ）に示すロータを示す正面図であり、図３（ｂ）は、図２（ｂ）に示すステータを示す正面図である。
【図４】図１に極数切替えコントローラの外観を示す写真である。
【図５】図４に示す極数切替えコントローラにおける主回路を示す電気回路図である。
【図６】図４に示す極数切替えコントローラにおけるリレー回路を示す電気回路図である。
【図７】図１に示す発電機における複数のコイル間の接続状態が切り替えられてその発電機の極数が切り替えられる様子を説明するための電気回路図である。
【図８】図１に示す発電機の特性を説明するための複数の式（１）ないし（１７）を示す図である。
【図９】図１に示す発電機の回転数−開放電圧特性を表すグラフである。
【図１０】図１に示す発電機の回転数−出力電流特性を表すグラフである。
【図１１】図１に示す発電機の回転数−電気的損失特性を表すグラフである。
【図１２】図１に示す発電機の回転数−発電効率特性を表すグラフである。
【図１３】図１に示す発電機の回転数−開放電圧特性を表すグラフである。
【図１４】図１に示す発電機の抵抗値−出力特性を表すグラフである。
【図１５】図１に示す発電機の抵抗値−出力特性を表すグラフである。
【図１６】図１に示す発電機の抵抗値−回転数特性を表すグラフである。
【図１７】図１に示す発電機の電圧−電流特性を表すグラフである。
【図１８】図１に示す極数切替えコントローラによって実行される極数切替えプログラムを概念的に表すフローチャートである。
【図１９】図１に示す発電機の実用性を検証するために再現された風速の時間的変動を表すグラフである。
【図２０】図１に示す発電機により蓄電装置の充電電圧の時間的推移を表すグラフである。
【図２１】図１に示す極数切替えコントローラによって実行される別の極数切替えプログラムを概念的に表すフローチャートである。
【図１】
0005603474.tif 000002
【図３】
0005603474.tif 000003
【図５】
0005603474.tif 000004
【図６】
0005603474.tif 000005
【図７】
0005603474.tif 000006
【図８】
0005603474.tif 000007
【図９】
0005603474.tif 000008
【図１０】
0005603474.tif 000009
【図１１】
0005603474.tif 000010
【図１２】
0005603474.tif 000011
【図１３】
0005603474.tif 000012
【図１４】
0005603474.tif 000013
【図１５】
0005603474.tif 000014
【図１６】
0005603474.tif 000015
【図１７】
0005603474.tif 000016
【図１８】
0005603474.tif 000017
【図１９】
0005603474.tif 000018
【図２０】
0005603474.tif 000019
【図２１】
0005603474.tif 000020
【図２】
0005603474.tif 000021
【図４】
0005603474.tif 000022